(57)【要約】      （修正有）【課題】コンデンサーの耐震性を向上することができるコンデンサーの載せ台を提供する。【解決手段】本コンデンサー１０の載せ台２０は底座２１及び複数の定位アーム２２を具え、底座はコンデンサーの本体の引き受けに用いられ、かつ底座にはそれぞれ二つの接脚の設置に用いられる二つの連接溝２１３が設けられる。複数の定位アームは底座の外縁に設けられてコンデンサー本体の外周縁を形成し、定位アームのコンデンサーの内側に相対して定位面２４が設けられ、定位面は第一当て面２４１、第二当て面２４２及び突起２４３を具え、第一当て面は底座に連接され、第二当て面は底座から遠ざかり、突起は第一当て面と第二当て面の間に形成され、かつ突起はコンデンサーの凹部に対応する。突起とコンデンサーの凹部の間には粘着剤が設けられてコンデンサーと載せ台を結合する。【選択図】図２
0003156699.tif 000002
【実用新案登録請求の範囲】
【請求項１】
コンデンサーの載せ台であって、
コンデンサーの本体の引き受けに用いられ、かつそれにはそれぞれコンデンサーの二本の接脚の設置に用いられる二つの連接溝が設けられる底座と、
底座の外縁に設けられてコンデンサー本体の外周縁を形成し、コンデンサーの内側に定位面が設けられ、定位面は第一当て面、第二当て面及び突起を含み、第一当て面は底座に連接し、第二当て面は底座から遠ざかり、突起は第一当て面と第二当て面の間に形成し、かつ突起はコンデンサーの凹部に相対する複数の定位アームとを含み、
突起とコンデンサーの凹部の間には粘着剤が設けられてコンデンサー及び載せ台を結合することを特徴とする、コンデンサーの載せ台。
【請求項２】
前記コンデンサーの凹部及び定位アームの突起の間に隙間を具え、粘着剤は凹部及び突起の間の隙間に設けられてあることを特徴とする、請求項１記載のコンデンサーの載せ台。
【請求項３】
前記突起の幅はコンデンサーの凹部の両端間の幅より小さく、突起が突き出した高さは凹部が凹入する深さより小さいので、コンデンサーの凹部と載せ台の突起の間に隙間が形成し、粘着剤は点粘着の方式をもって凹部と突起の間の隙間に設けられ、粘着剤の材質はエポキシレジン、アクリルまたはシリコンゴムであることを特徴とする、請求項２記載のコンデンサーの載せ台。
【請求項４】
前記底座は第一面及び第二面を具え、第一面はコンデンサーを引き受け、第二面は回路板に連接され、連接溝は孔及び収容溝を具え、孔は底座の二つの面を貫通し、収容溝は底座の第二面に形成され、連接溝は更に補助接脚を具え、補助接脚は収容溝に嵌め付けられ、孔は接脚を通すことに用いられ、かつ接脚は折り曲げられて収容溝の補助接脚に嵌め付けられ、補助接脚は収容溝及び接脚の間に設けられ、前記底座の第二面は更に四つの突塊が設けられ、四つの突塊は底座の第二面に設けられ、かつ四つの突塊はそれぞれ底座の四つの角に近隣し、底座の第二面には二つの補助溝が設けられ、二つの補助溝は底座の第二面の相対両側辺に設けられ、二つの補助溝は二つの防震接脚の取り付けに用いられることを特徴とする、請求項１記載のコンデンサーの載せ台。
【請求項５】
前記載せ台は三本の定位アームを含み、三本の定位アームは底座の第一面に設けられ、三本の定位アームは三角環状をもってコンデンサー本体の外周縁に形成され、三本の定位アーム中の二本は隣接する二つの角に位置し、別の定位アームは前記二本の定位アームに反する側辺に位置し、側辺に位置する定位アームの中心の厚さは二本の隣接する角に位置する定位アームの中心の厚さより小さく、前記三本の定位アームは底座と一体に連接することを特徴とする、請求項１記載のコンデンサーの載せ台。
【請求項６】
前記コンデンサーの接脚の一端端部から凹部の底座に遠ざかる一端端部にはある長さを具え、定位アームはある長さを具え、コンデンサーの接脚の一端端部から凹部の一端端部の長さは定位アームの長さより小さいことを特徴とする、請求項１記載のコンデンサーの載せ台。
【考案の詳細な説明】
【技術分野】
【０００１】
本考案はコンデンサー（ｃｏｎｄｅｎｓｅｒ）の載せ台に係り、特にコンデンサーの耐震性を向上することができるコンデンサーの載せ台に関するものである。
【背景技術】
【０００２】
添付の中華人民共和国特許出願第００２６２１８１．９号「電解コンデンサーの立て型固定座」を参照ください。その固定座は矩形状に現われ、上端面の四つ隅には上方へ四本の固定支柱が延伸され、中間部分には二本の支え脚の孔が設けられ、かつ固定座の下端面にはそれぞれ孔の相対外側に位置する凹溝が設けられているので、コンデンサーの二本の支え脚を下方の孔に通し、それからそれぞれ外へ折り曲げて二つの凹溝に貼り合わせれば、固定座を具える電解コンデンサーは表面粘着工程をもって印刷回路板の上に結合することができる。
【０００３】
ところが、現有技術のコンデンサー製品に対する要求はますます厳しくなり、特に交通工具または機械に載せられる場合、コンデンサーの耐震性に対する要求はますます高くなり、従来の立て型固定座はコンデンサーを固定することができず、立て型固定座は耐震性がよくないので、コンデンサーの縁が折れて切れてしまうことがある。折れてしまう現象の主な原因は二つあり、一つ目は固定座とコンデンサーに接合個所がないことであり、二つ目はコンデンサーと固定板の組み合わせが使用される場合、導線個所と回路板だけが半田で接合されているので、震動が発生するとコンデンサーと固定座は相対した移動関係が発生しやすくなり、更に導線が曲げられて折れてしまうことである。上述問題は早急に改善する必要がある。
【０００４】
上述従来構造の欠点に鑑み、本考案の考案者はコンデンサーの載せ台を考案し、それは上述従来構造のすべての欠点を克服することができる。
【先行技術文献】
【特許文献】
【０００５】
【特許文献１】中華人民共和国特許出願第００２６２１８１．９号明細書
【考案の概要】
【考案が解決しようとする課題】
【０００６】
本考案が解決しようとする技術問題は、現在技術に存在する上記欠点に対してコンデンサーの載せ台の一種を提供することである。
【０００７】
本考案の主要目的は、粘着剤をコンデンサーの凹部と載せ台の突起間の隙間に設け、それによってコンデンサーと載せ台を結合固定することである。
【０００８】
本考案の次の目的は、定位アームをコンデンサーの凹部の底座に反する一端に覆い被せ、それによってコンデンサーの振動状況を減少することである。
【０００９】
本考案のもう一つの目的は、突起を第一当て面及び第二当て面の間に形成し、それによってあまり大きな揺れ移動空間を発生させないことである。
【００１０】
本考案のまた一つの目的は、防震接脚の嵌め付け部を補助溝の嵌め溝に嵌め付け、防震接脚は半田によって回路板に溶接し、それによって載せ台の耐震強度を向上させ、安定性を高めることである。
【００１１】
本考案の更に一つの目的は、底座の四つの突塊を完全に回路板に載せ、導電接脚の高さが違うために載せ台が揺れ動く可能性を防ぐことである。
【課題を解決するための手段】
【００１２】
コンデンサーの載せ台であって、コンデンサー本体の引き受けに用いられ、かつそれにはそれぞれコンデンサーの二本の接脚の設置に用いられる二つの連接溝が設けられる底座と、底座の外縁に設けられてコンデンサー本体の外周縁を形成し、それのコンデンサーの内側に相対して定位面が設けられ、定位面は第一当て面、第二当て面及び突起を含み、第一当て面は底座に連接し、第二当て面は底座から遠ざかり、突起は第一当て面と第二当て面の間に形成し、かつ突起はコンデンサーの凹部に相対する複数の定位アームとを含み、突起とコンデンサーの凹部の間には粘着剤が設けられてコンデンサー及び載せ台を結合することを特徴とする。
【考案の効果】
【００１３】
上述から本考案は次の長所を具えることがわかる。
１．本考案のコンデンサーの載せ台の粘着剤はコンデンサーの凹部と載せ台の突起間の隙間に設けられ、それによってコンデンサーと載せ台は結合される。
【００１４】
２．本考案のコンデンサーの載せ台の定位アームはコンデンサーの凹部の底座に反する一端を覆い被さり、それによってコンデンサーの震動が減少する。
【００１５】
３．本考案のコンデンサーの載せ台の突起は第一当て面と第二当て面の間に形成され、それによって突起はあまり大きな動揺移行空間を発生しない。
【００１６】
４．本考案のコンデンサーの載せ台の防震接脚の嵌め部は補助溝の嵌め溝に嵌め付けられ、防震接脚は半田によって回路板に溶接されているので、載せ台の耐震動性が向上し安定性を高める。
【００１７】
５．本考案のコンデンサーの載せ台の底座は四つの突起によって完全に回路板に載せられ、それによって導電の接脚の高さが違うために載せ台が揺れる可能性が防止される。
【００１８】
其の他の目的、長所と本考案の新型特性については次の詳細説明と関連図面によって更に明白になる。
【図面の簡単な説明】
【００１９】
【図１】本考案コンデンサーの載せ台の立体外観図である。
【図２】本考案コンデンサーの載せ台の立体分解図である。
【図３】本考案コンデンサーの載せ台の別の視角の立体分解図である。
【図４】本考案コンデンサーの載せ台の別の視角の立体外観図である。
【図５】本考案図１の５‐５断面に沿って取った断面図である。
【図６】本考案図５の６‐６断面に沿って取った断面図である。
【図７】本考案図５の７‐７断面に沿って取った断面図である。
【考案を実施するための形態】
【００２０】
本考案が採用した技術、手段及び効能について、ここに最適実施例を取り上げ、図面と合わせて次の如く詳細説明するが、それは説明に用いるだけで、実用新案登録請求の請求に於いてはこの種の構造の制限を受けない。
【００２１】
図１から図３に示す本考案コンデンサーの載せ台の立体外観図及び立体分解図を参照ください。本考案はコンデンサー１０及び載せ台２０を含み、コンデンサー１０は載せ台２０に取り付けられて回路板に接続され、コンデンサー１０と載せ台２０の間には粘着剤３０が設けられ（図５をご参照）、それによってコンデンサー１０及び載せ台２０を結合する。
【００２２】
コンデンサー１０は本体１１及び二本の接脚１２を具え、本体１１は円柱体であり、二本の接脚１２は本体１１の一端端部に挿し込まれ、本体１１の二本の接脚１２に近隣する一端の外周縁には環状の凹部１１１が設けられてある。
【００２３】
同時に図４から図６を参照ください。載せ台２０は底座２１及び三本の定位アーム（ａｒｍ）２２を含み、底座２１は第一面２１１、第二面２１２及び二つの連接溝２１３を具え、第一面２１１はコンデンサー１０を引き受け、第二面２１２は回路板を連接し、二つの連接溝２１３は二つの接脚１２の設置に用いられ、かつ二つの連接溝２１３は互いに連通しない。連接溝２１３は孔２１３１、収容溝２１３２及び補助接脚２１３３を具え、孔２１３１は底座２１の二つの面２１１、２１２を貫通し、収容溝２１３２は底座２１の第二面２１２に形成し、補助接脚２１３３は収容溝２１３２に嵌め付けられ、孔２１３１は接脚１２を通すことに用いられ、かつ接脚１２は折り曲げられて収容溝２１３２の補助接脚２１３３に嵌め付けられ、補助接脚２１３３は収容溝２１３２及び接脚１２の間に設けられ、それによって接脚１２の耐震動性を高め、接脚１２に震動が発生することを避けて安定性を高める。
【００２４】
同時に図７を参照ください。前記載せ台２０の第二面２１２には更に四つの突塊２１４及び二つの補助溝２１５が設けられ、四つの突塊２１４は底座２１の第二面２１２に設けられ、かつ四つの突塊２１４は底座２１の四つの角に近隣し、底座２１は四つの突塊２１４によって回路板に載せられ、導電接脚１２の高さの違いによって載せ台２０が揺れ動く可能性を防止る。二つの補助溝２１５は底座２１の第二面２１２の相対両側辺に設けられ、かつ補助溝２１５の底座２１の側辺には嵌め溝２１５１が形成され、二つの補助溝２１５は二つの防震接脚２３の取り付けに用いられ、防震接脚２３は補助溝２１５に嵌め付けることができ、かつ防震接脚２３には補助溝２１５の嵌め溝２１５１に嵌め付けられる嵌め部２３１を具え、防震接脚２３は半田によって回路板に溶接され、それによって載せ台２０の耐震動性を向上し、安定性を高める。
【００２５】
前記三本の定位アーム２２と底座２１は一体に連接され、かつ三本の定位アーム２２は底座２１の第一面２１１の外縁に設けられ、三角環状にコンデンサー１０の本体１１の外周縁に形成され、それによってコンデンサー１０は載せ台２０に定位される。前記三本の定位アーム２２中の二本は隣接する二つの角に位置し、別の定位アーム２２は前記二本の定位アーム２２に反する側辺に位置し、側辺に位置する定位アーム２２の中心の厚さＴ１は二つの角に位置する定位アーム２２の中心の厚さＴ２より小さく、そのために側辺に位置する定位アーム２２は二つの角に位置する定位アーム２２よりも弾性を具え、コンデンサー１０が載せ台２０に取り付けられる場合は容易に側辺に位置する定位アーム２２を押しのけ、便利快速に載せ台２０に取り付けられる。
【００２６】
前記定位アーム２２の内側はコンデンサー１０の外形に合わせて円弧形状の定位面２４に形成され、定位面２４は本体１１の外周縁に設けられ、かつ定位面２４はコンデンサー１０を定位制限して震動の発生を減少させる。定位面２４の内側は第一当て面２４１、第二当て面２４２及び突起２４３を含み、第一当て面２４１は底座２１に連接し、第二当て面２４２は底座２１から離れた一端に位置し、突起２４３は第一当て面２４１と第二当て面２４２の間に位置し、かつ突起２４３はコンデンサー１０の凹部１１１に嵌め付けられてコンデンサー１０を載せ台２０に嵌め付け固定することができる。
【００２７】
前記突起２４３は第一当て面２４１と第二当て面２４２の間に形成され、突起２４３は定位アーム２２の末端に形成されないので、突起２４３にはあまり大きな揺れ移動の空間がなく、定位アーム２２の突起２４３はコンデンサー１０の凹部１１１に確実に嵌め付けることができ、コンデンサー１０は載せ台２０から離脱せず、かつ突起２４３の両端はそれぞれ第一当て面２４１及び第二当て面２４２によってコンデンサー１０の外周面に当て付け、それによって定位アーム２２はコンデンサー１０の凹部１１１の底座２１に反する一端を覆い被さり、コンデンサー１０の震動状況が減少される。コンデンサー１０の接脚１２の一端端部から凹部１１１の底座２１に遠ざかる一端端部には長さＬ１を具え、定位アーム２２は長さＬ２を具え、コンデンサー１０の接脚１２の一端端縁から凹部１１１の第二端１１３の長さＬ１は定位アーム２２の長さＬ２より小さい。
【００２８】
コンデンサー１０の凹部１１１と載せ台２０の突起２４３の間には隙間Ｓを具える。突起２４３の幅Ｗ１はコンデンサー１０の凹部１１１の両端間の幅Ｗ２より小さく、突起２４３が突き出す高さＨは凹部１１１が凹入する深さＤより小さいので、コンデンサー１０の凹部１１１と載せ台２０の突起２４３の間に隙間Ｓが形成され、粘着剤３０は点粘着の方式をもってコンデンサー１０の凹部１１１と載せ台２０の突起２４３の間の隙間に設けられ、それによってコンデンサー１０と載せ台２０は相対的な移動関係を起こさず、コンデンサー１０の耐震性が高められる。前記粘着剤３０の材質はエポキシレジン（ｅｐｏｘｙ  ｒｅｓｉｎ）、アクリル（ａｃｒｙｌ）またはシリコンゴム（ｓｉｌｉｃｏｎ
ｇｕｍ）でもよい。
【００２９】
以上に述べたのは本考案の最適実施例だけであり、それは本考案の実施範囲を制限するものではなく、およそ数値の変更または同等効果の部材の入れ替え、または本実用新案登録請求の範囲によって行われた同等の変化または改修は、すべて本考案の請求範囲に含まれる範疇に属するべきである。
【符号の説明】
【００３０】
１０        コンデンサー
１１        本体
１１１      凹部
１２        接脚
２０        載せ台
２１        底座
２１１      第一面
２１２      第二面
２１３      連接溝
２１３１    孔
２１３２    収容溝
２１３３    補助接脚
２１４      突塊
２１５      補助溝
２１５１    嵌め溝
２２        定位アーム
２３        防震接脚
２３１      嵌め部
２４        定位面
２４１      第一当て面
２４２      第二当て面
２４３      突起
３０        粘着剤
Ｌ１        長さ
Ｌ２        長さ
Ｓ          隙間
Ｗ１        幅
Ｗ２        幅
Ｈ          高さ
Ｄ          深さ
Ｔ１        厚さ
Ｔ２        厚さ
【図１】
0003156699.tif 000003
【図２】
0003156699.tif 000004
【図３】
0003156699.tif 000005
【図４】
0003156699.tif 000006
【図５】
0003156699.tif 000007
【図６】
0003156699.tif 000008
【図７】
0003156699.tif 000009